(57)【要約】【課題】シンプル化及び省スペース化された回路を用いて温度制御が可能な感光材料処理装置を提供すること。【解決手段】露光後の感光材料に対して所定の処理を行う処理液槽１０８を有する処理部１０４と、処理部１０４において処理された感光材料に温風を吹き付けて乾燥する乾燥部１１３と、処理液槽１０８又は乾燥部１１３の少なくとも一方に設けられたヒータと、該ヒータによる温度制御を行う制御回路（図２）と、を備えた感光材料処理装置１００において、制御回路が、温度を検出して該温度に応じたアナログ信号を出力する温度検出回路（温度センサ１２０、差動増幅回路１２３等）と、前記温度検出回路から出力されたアナログ信号をデジタル信号に変換して出力するＡＤ変換器１２４ａと、ＡＤ変換器１２４ａから出力されたデジタル信号に基づき、前記ヒータに対する制御量を算出するＣＰＵ１２４ｂと、を備え、ＡＤ変換器１２４ａとＣＰＵ１２４ｂとが、一つのＩＣ１２４に内蔵されていることを特徴とする。【選択図】  図２
2004212410.tif 000002
【特許請求の範囲】
【請求項１】
露光後の感光材料に対して所定の処理を行う処理液槽を有する処理部と、該処理部において処理された前記感光材料に温風を吹き付けて乾燥する乾燥部と、前記処理液槽又は前記乾燥部の少なくとも一方に設けられたヒータと、前記ヒータによる温度制御を行う制御回路と、を備えた感光材料処理装置において、
前記制御回路が、
温度を検出して該温度に応じたアナログ信号を出力する温度検出回路と、
前記温度検出回路から出力された前記アナログ信号をデジタル信号に変換して出力するＡＤ変換器と、
前記ＡＤ変換器から出力されたデジタル信号に基づき、前記ヒータに対する制御量を算出するＣＰＵと、を備え、
前記ＡＤ変換器と前記ＣＰＵとが、一つのＩＣに内蔵されていることを特徴とする感光材料処理装置。
【発明の詳細な説明】
【０００１】
【発明の属する技術分野】
本発明は、写真等の感光材料を処理する感光材料処理装置に関し、特に、感光材料処理装置内に設けられるヒータの温度制御回路に関するものである。
【０００２】
【従来の技術】
感光材料処理装置は、フィムル、印画紙等を処理する装置であり、例えば、写真を撮影したフィルムを露光する露光機と、露光後の印画紙を現像する所定の処理液が収容された処理液槽と、その後これを乾燥する乾燥器と、を備える。このような感光材料処理装置にあっては、処理液の液温や乾燥機の温風を所定の温度に維持するため、そのヒータの温度制御を行う回路が設けられる。この種の温度制御回路としては、例えば、サーミスタにより温度を検出してヒータの制御量を定める回路が一般的に用いられている（例えば、特許文献１）。
【０００３】
【特許文献１】特開平９−１０５６８１号公報
【０００４】
【発明が解決しようとする課題】
従来の温度制御回路においては、サーミスタの抵抗値の変化をＡＤ変換器でデジタル変換することでＣＰＵで検出可能とし、ＣＰＵにより制御量を定める構成が採用されている。しかして、この種の温度制御回路を感光材料処理装置に適用するにあたっては、回路のシンプル化、省スペース化が要求される。
【０００５】
従って、本発明の目的は、シンプル化及び省スペース化された回路を用いて温度制御が可能な感光材料処理装置を提供することにある。
【０００６】
【課題を解決するための手段】
本発明によれば、露光後の感光材料に対して所定の処理を行う処理液槽を有する処理部と、該処理部において処理された前記感光材料に温風を吹き付けて乾燥する乾燥部と、前記処理液槽又は前記乾燥部の少なくとも一方に設けられたヒータと、前記ヒータによる温度制御を行う制御回路と、を備えた感光材料処理装置において、前記制御回路が、温度を検出して該温度に応じたアナログ信号を出力する温度検出回路と、前記温度検出回路から出力された前記アナログ信号をデジタル信号に変換して出力するＡＤ変換器と、前記ＡＤ変換器から出力されたデジタル信号に基づき、前記ヒータに対する制御量を算出するＣＰＵと、を備え、前記ＡＤ変換器と前記ＣＰＵとが、一つのＩＣに内蔵されていることを特徴とする感光材料処理装置が提供される。
【０００７】
【発明の実施の形態】
以下、本発明の好適な実施形態について図面を参照して説明する。図１は、本発明の一実施形態に係る感光材料処理装置１００の構成概略図であり、大別すると露光部１０３と処理部１０４と乾燥部１１３とを備える。
【０００８】
感光材料処理装置１００は、感光材料の一つであってシート状の印画紙Ｐが巻かれたロールペーパーＲＰを備え、ロールペーパーＲＰは、コアに捲回され、かつ光を完全に遮断した遮光状態でペーパーマガジン１０１内で回転自在に設けられている。このペーパーマガジン１０１の開口部の近傍にはカッターユニット１０２が配設されており、ペーパーマガジン３の開口部から送り出された直後のロールペーパーＲＰを露光する前に所望のカットサイズに切断する。
【０００９】
カッターユニット１０２により所定のサイズに切断されてなる印画紙Ｐは、露光部１０３の底面部位に配設された露光台１０３ａの露光位置に順次送られる。露光台１０３ａには切断後の印画紙Ｐの裏面を吸引して搬送し、露光位置まで搬送するための吸着搬送機構が内蔵されている。
【００１０】
以上のようにして、露光の準備が整うと、図示しないスキャナ装置により電子化されたフィルム画像がＬＣＤ等の画像表示装置１０３ｅに表示され、その後、光源１０３ｂからの光が露光台１０３ａに向けて照射され、ＲＧＢフィルタ１０３ｃ、光拡散部１０３ｄ、画像表示装置１０３ｅ及びズームレンズ等からなる光学系１０３ｆを通過して印画紙Ｐ上に画像が結像するように露光される。
【００１１】
この露光後に、印画紙Ｐは搬送部１０７へ向けて矢印Ｄ１方向に搬送され、搬送部１０７から、下流側の処理部１０４へ搬送される。ここで、露光部１０３及び搬送部１０７と処理部１０４との間には、処理部１０４内の各処理液槽１０８に貯められた各処理液が温度上昇などで気化して発生したガスの影響を受けないように、仕切り壁１０９が設けられている。そして、仕切り壁１０９には、開閉式のシャッター１１０が設けられており、印画紙Ｐを搬送部１０７から、処理部１０４の処理液槽１０８へ搬送する場合には、シャッター１１０が開口して印画紙Ｐを矢印Ｄ２方向に搬送し、その他の場合は閉じるようにされている。
【００１２】
次に、印画紙Ｐは、処理部１０４内の各処理液槽１０８に設けられた搬送ラック装置１１１により下流側に向けて各処理液槽１０８を順次搬送される。各処理液槽１０８には、現像処理、漂白定着等を行うための処理液が収容されており、印画紙Ｐはこれらの処理液を順次通過されることになる。また、各処理液槽１０８には、ヒータ１０８ａが設けられており、温度センサ１２０で液温を計測してヒータ１０８ａの発熱量を制御することで処理液が所定の温度に維持される。なお、各処理液槽１０８間で印画紙Ｐを受け渡しつつ搬送する際、印画紙Ｐは、案内部１１２により方向転換されて円滑に搬送される。
【００１３】
印画紙Ｐは、処理部１０４の各処理液槽１０８を通過すると、乾燥部１１３へ搬送される。乾燥部１１３内において、印画紙Ｐは一旦下方へ搬送され、その後、上方へ搬送されることとなる。乾燥部１１３には、ヒータを内蔵した温風器１１４が設けられており、搬送途中で温風器１１４のノズル群から印画紙Ｐの印画面に温風を吹き付け、その表面を乾燥させる。また、乾燥部１１３には温度センサ１２０が設けられており、これにより乾燥部１１３内の温度を計測して温風器１１４のヒータの発熱量を制御する。乾燥部１１３の上方には、印画紙Ｐを外部に排出するローラ１１５及び１１６が設けられており、これらによって印画紙Ｐは、排出口１１７から外部へ排出され、処理が終了する。
【００１４】
次に、図２は処理液槽１０８のヒータ１０８ａ及び温風器１１４内のヒータを制御する制御回路のブロック図である。この制御回路は、これらのヒータの全てに適用してもよいが、一部のヒータに適用してもよいことはいうまでもない。
【００１５】
この制御回路は、温度センサ１２０、フィルタ回路１２１、アナログスイッチ１２２、定電圧回路Ａ及びＢ、及び、差動増幅回路１２３を含み、これらが処理液槽１０８内の液温又は乾燥部１１３内の温度を検出して該温度に応じたアナログ信号を出力する温度検出回路である。本実施形態において、温度センサ１２０はサーミスタを含み、温度変化に伴う抵抗値の変化を利用して温度を計測する。差動増幅回路１２３は、本実施形態の場合ＯＰアンプであり、定電圧回路Ｂにより電力の供給を受けて作動する。
【００１６】
このような構成からなる温度検出回路は、定電圧回路Ａが、温度センサ１２０、フィルタ回路１２１及びアナログスイッチ１２２を介して差動増幅回路１２３の一方の入力端子に接続される一方で、定電圧回路Ａが差動増幅回路１２３の他方の入力端子に直接接続されている。従って、温度センサ１２０のサーミスタの抵抗値の変化に伴い、両者の差が変化し、差動増幅回路１２３から温度変化に伴って変化するアナログ信号が出力されることになる。
【００１７】
差動増幅回路１２３から出力されたアナログ信号は、ＩＣ１２４に内蔵されたＡＤ変換器１２４ａでデジタル信号に変換され、そのデジタル信号は、同じくＩＣ１２４に内蔵されたＣＰＵ１２４ｂに入力される。ＣＰＵ１２４ｂは、所定の方式、たとえば、図示しないＲＯＭに格納されたプログラムを読み出し、これに従って、ＡＤ変換器１２４ａから出力されたデジタル信号に基づき、処理液槽１０８のヒータ１０８ａ及び温風器１１４内のヒータに対する制御量を算出する。算出した制御量は、ヒータへ出力されてヒータの発熱量が制御される。
【００１８】
ヒータへ出力する制御量がアナログ信号である必要がある場合、ＤＡ変換器を用いることになるが、この場合、ＩＣ１２４としてＤＡ変換器も内蔵したＩＣを使用することが便利である。なお、図２中、定電圧回路Ｃは、ＩＣ１２４へ電力を供給する電源であり、上限リミッタ回路１２５ａ及び下限リミッタ回路１２５ｂは、差動増幅回路１２３から出力されるアナログ信号の振幅の上限及び下限を、ＡＤ変換器１２４ａの入力範囲に制限するもので、例えば、ダイオードである。
【００１９】
このように本実施形態では、ＡＤ変換器１２４ａとＣＰＵ１２４ｂとして、これらが一つのパッケージの中に内蔵されたＩＣ１２４を採用したので、両者が別パッケージの場合と比べて、よりシンプル化及び省スペース化された回路を用いて温度制御が可能となる。
【００２０】
なお、差動増幅回路１２３は、正負２電源が必要とされるＯＰアンプではなく、単一電源系のものを用いることにより、電源回路を少なくすることができる。この場合、下限リミッタ回路１２５ｂを省略することも可能である。更に、ＩＣ１２４として３．３Ｖ駆動系のものを使用することで、５Ｖ駆動系のものよりも低電圧駆動が可能となる。
【００２１】
【発明の効果】
以上説明したように、本発明によれば、シンプル化及び省スペース化された回路を用いて温度制御が可能な感光材料処理装置を提供することができる。
【図面の簡単な説明】
【図１】本発明の一実施形態に係る感光材料処理装置１００の構成概略図である。
【図２】処理液槽１０８のヒータ１０８ａ及び温風器１１４内のヒータを制御する制御回路のブロック図である。
【符号の説明】
１００  感光材料処理装置
１０４  処理部
１０８  処理液槽
１０８ａ  ヒータ
１１３  乾燥部
１１４  温風器
１２０  温度センサ
１２１  フィルタ回路
１２２  アナログスイッチ
１２３  差動増幅回路
１２４ａ  ＡＤ変換器
１２４ｂ  ＣＰＵ
【図１】
2004212410.tif 000003
【図２】
2004212410.tif 000004